【事件の表示】
　特許第２７７９６１６号「食物繊維含有組成物」の請求項１、３ないし７に係る特許に対する特許異議の申立てについて、次のとおり決定する。
【結論】
　訂正を認める。
　特許第２７７９６１６号の請求項１ないし６に係る特許を維持する。
【理由】
Ｉ．手続の経緯
　本件特許第２７７９６１６号は、平成９年９月１０日に特願平９−２４５４９２号として出願され、平成１０年５月１５日にその特許の設定登録がなされ、その後、不二製油株式会社より特許異議申立がなされ、取消理由通知がなされ、その指定期間内である平成１１年６月２８日に訂正請求がなされたものである。
ＩＩ．訂正請求
１．訂正の内容
▲１▼各請求項の「（２）ポリデキストロース、難消化性デキストリン、大豆繊維およびセルロースからなる群から選択される１以上の食物繊維を含有し、」を「（２）ポリデキストロースおよび難消化性デキストリンからなる群から選択される１以上の食物繊維を含有し、」と訂正し、「請求項１、２」を「請求項１」とし、「請求項３乃至請求項７」の項番号を「請求項２乃至請求項６」に繰り上げる。
▲２▼【０００８】、【００１７】、【００２２】及び【００４９】の「ポリデキストロース、難消化性デキストリン、大豆繊維およびセルロース」を「ポリデキストロースおよび難消化性デキストリン」と訂正する。
▲３▼【００２０】及び【００２１】を削除する。
▲４▼【００２２】の「これら４種の中では、ポリデキストロース、難消化性デキストリンを使用するのがもっとも好ましく、次いで大豆繊維を使用するのが好ましい。これら４種以外の繊維は、アルギン酸類と組み合わせても、相乗的な便通改善効果を期待することができない。」を削除する。
▲５▼【００２８】の「、大豆繊維、セルロース」を削除する。
▲６▼【００３７】及び【００３８】を削除する。
▲７▼【００４１】及び【００４２】を削除する。
▲８▼【００３９】の「（実施例４）」を「（実施例３）」に、【００４０】の「【表４］］を「【表３】に訂正する。
２．訂正の目的の適否、新規事項の有無及び拡張・変更の存否
　上記訂正事項▲１▼は、特許請求の範囲の減縮に該当し、訂正事項▲２▼乃至▲８▼は、訂正事項▲１▼に伴う訂正である。
　そして、上記いずれの訂正も新規事項に該当せず、また、実質上特許請求の範囲を拡張し、または変更するものではない。
３．独立特許要件
　訂正された請求項１乃至６に係る発明（以下、「本件発明」という。）は、後述の「ＩＩＩ．３．判断」の項に記載のように当業者が容易に発明をすることができたとはいえないので、本件発明は、特許出願の際独立して特許を受けることができるものである。
４．むすび
　以上のとおりであるから、本件訂正請求は、特許法１２０条の４，２項、及び同条３項で準用する１２６条２項から４項の規定に適合するので、請求のとおり当該訂正を認める。
ＩＩＩ．特許異議申立
１．特許異議申立書の理由の概要
　訂正前の本件請求項１、３乃至７に係る発明は、甲第１乃至２号証に記載された発明に基づき当業者が容易に発明をすることができたものであるから、特許法２９条２項の規定により特許を受けることができない。
記
　甲第１号証：特開平６−２５３７８０号公報
　甲第２号証：「食品と開発」Ｖｏｌ．２７Ｎｏ．９、４７〜４９頁
２．甲各号証の記載内容
　甲第１号証には、特許請求の範囲の項に、
「請求項１　平均分子量１万〜１０万の水溶性アルギン酸塩またはエステルを含有することを特徴とする排便促進食品。
　請求項２　平均分子量１万〜１０万の水溶性アルギン酸塩またはエステルを１〜２０％含有する飲料の形態である請求項１記載の排便促進食品。」が記載され、発明の詳細な説明の項には、
「水溶性アルギン酸塩としてはアルギン酸のナトリウム塩、カリウム塩、アンモニア塩等が・・・」（３頁３欄４３行〜４欄１行）、「また、保健食品としての機能を高めるために、他の食物繊維や健康増進物（例えばヨード、鉄分など）を１種もしくは２種以上添加することも可能である。」（４頁６欄３８〜４１行）ことが記載されている。
　甲第２号証には「水溶性大豆多糖類の開発と応用」との表題のもと、「所謂、食物繊維の生理機能を持ち合わせており、腸内発酵による整腸作用やコレステロール上昇抑制にマイルドな効果が確認されている。」（４７頁右欄１５〜１９行）、「水溶性大豆多糖類は、元々食物繊維であり、各種食品に適宜添加することができる。例えは、焼菓子・チョコレート・スープ・飲料等に数十％使用し、ファイバー強化食品を作ることができる。」（４８頁左欄下３行〜中欄３行）ことが記載されている。
３．判断
　甲第１号証には「食物繊維」という記載、また甲第２号証には「水溶性大豆多糖類」という記載はあるものの、食物繊維として具体的に「ポリデキストロース」や「難消化性デキストリン」を開示するところはない。
　そうすると、食物繊維として「ポリデキストロース」或いは「難消化性デキストリン」を使用するところに特徴がある本件発明は、甲第１号証及び甲第２号証に記載された発明に基づき当業者が容易に想到し得たとはいえない。
４．まとめ
　以上のとおりであるから、特許異議申立の理由及び証拠によっては、本件発明についての特許を取り消すことはできない。
　また、他に本件発明についての特許を取り消すべき理由を発見しない。
　よって、結論のとおり決定する。
【異議決定日】
平成１１年８月３１日（１９９９．８．３１）
【訂正の要旨】
　▲１▼　訂正事項ａ
　特許請求の範囲の記載：
「【請求項１】
　（１）平均分子量１０万以下のアルギン酸、アルギン酸塩またはアルギン酸エステル、および、
　（２）ポリデキストロース、難消化性デキストリン、大豆繊維およびセルロースからなる群から選択される１以上の食物繊維を含有し、
　成分（１）と成分（２）の重量比が０．５〜３０：１００であることを特徴とする食物繊維含有組成物。
　【請求項２】
　成分（２）がポリデキストロースまたは難消化性デキストリンであることを特徴とする請求項１の食物繊維含有組成物。
　【請求項３】
　成分（１）と成分（２）の重量比が１０〜３０：１００であることを特徴とする請求項１の食物繊維含有組成物。
　【請求項４】
　成分（１）がアルギン酸ナトリウムまたはアルギン酸カリウムであることを特徴とする請求項１の食物繊維含有組成物。
　【請求項５】
　（１）平均分子量１０万以下のアルギン酸、アルギン酸塩またはアルギン酸エステル、および、
　（２）ポリデキストロース、難消化性デキストリン、大豆繊維およびセルロースからなる群から選択される１以上の食物繊維を含有し、
　成分（１）と成分（２）の重量比が０．５〜３０：１００であることを特徴とする飲料。
　【請求項６】
　（１）平均分子量１０万以下のアルギン酸、アルギン酸塩またはアルギン酸エステル、および、
　（２）ポリデキストロース、難消化性デキストリン、大豆繊維およびセルロースからなる群から選択される１以上の食物繊維を含有し、
　成分（１）と成分（２）の重量比が０．５〜３０：１００であることを特徴とする便通改善薬。
　【請求項７】
　（１）平均分子量１０万以下のアルギン酸、アルギン酸塩またはアルギン酸エステル、および、（２）ポリデキストロース、難消化性デキストリン、大豆繊維およびセルロースからなる群から選択される１以上の食物繊維が、キットを構成する複数の組成物のいずれかに含まれており、
　成分（１）と成分（２）の含有重量比が０．５〜３０：１００であることを特徴とする便通改善用キット。」
を
『【請求項１】
　（１）平均分子量１０万以下のアルギン酸、アルギン酸塩またはアルギン酸エステル、および、
　（２）ポリデキストロースおよび難消化性デキストリンからなる群から選択される１以上の食物繊維を含有し、
　成分（１）と成分（２）の重量比が０．５〜３０：１００であることを特徴とする食物繊維含有組成物。
　【請求項２】
　成分（１）と成分（２）の重量比が１０〜３０：１００であることを特徴とする請求項１０食物繊維含有組成物。
　【請求項３】
　成分（１）がアルギン酸ナトリウムまたはアルギン酸カリウムであることを特徴とする請求項１０食物繊維含有組成物。
　【請求項４】
　（１）平均分子量１０万以下のアルギン酸、アルギン酸塩またはアルギン酸エステル、および、
　（２）ポリデキストロースおよび難消化性デキストリンからなる群から選択される１以上の食物繊維を含有し、
　成分（１）と成分（２）の重量比が０．５〜３０：１００であることを特徴とする飲料。
　【請求項５】
　（１）平均分子量１０万以下のアルギン酸、アルギン酸塩またはアルギン酸エステル、および、
　（２）ポリデキストロースおよび難消化性デキストリンからなる群から選択される１以上の食物繊維を含有し、
　成分（１）と成分（２）の重量比が０．５〜３０：１００であることを特徴とする便通改善薬。
　【請求項６】
　（１）平均分子量１０万以下のアルギン酸、アルギン酸塩またはアルギン酸エステル、および、
　（２）ポリデキストロースおよび難消化性デキストリンからなる群から選択される１以上の食物繊維が、キットを構成する複数の組成物のいずれかに含まれており、
　成分（１）と成分（２）の含有重量比が０．５〜３０：１００であることを特徴とする便通改善用キット。』
に訂正する。
　訂正前後の請求項の対応関係は以下のとおりである。
訂正前
訂正後
請求項１、２　　　　請求項１
請求項３　　　　　　請求項２
請求項４　　　　　　請求項３
請求項５　　　　　　請求項４
請求項６　　　　　　請求項５
請求項７　　　　　　請求項６
　▲２▼　訂正事項ｂ
　【０００８】、【００１７】、【００２２】および【００４９】の「ポリデキストロース、難消化性デキストリン、大豆繊維およびセルロース」を『ポリデキストロースおよび難消化性デキストリン』に訂正する。
　▲３▼　訂正事項ｃ
　【００２０】および【００２１】を削除する。
　▲４▼　訂正事項ｄ
　【００２２】の第３文および第４文を削除する。
　▲５▼　訂正事項ｅ
　【００２８】の「、大豆繊維、セルロース」を削除する。
　▲６▼　訂正事項ｆ
　【００３７】および【００３８】を削除する。
　▲７▼　訂正事項ｇ
　【００４１】および【００４２】を削除する。
　▲８▼　訂正事項ｈ
　訂正事項ｆおよびｇの削除に伴い、【００３７】以降の実施例番号と【表３】以降の表番号をリナンバーする。
（５４）【発明の名称】
食物繊維含有組成物
（５７）【特許請求の範囲】
　【請求項１】
　（１）平均分子量１０万以下のアルギン酸、アルギン酸塩またはアルギン酸エステル、および、
　（２）ポリデキストロースおよび難消化性デキストリンからなる群から選択される１以上の食物繊維を含有し、
　成分（１）と成分（２）の重量比が０．５〜３０：１００であることを特徴とする食物繊維含有組成物。
　【請求項２】
　成分（１）と成分（２）の重量比が１０〜３０：１００であることを特徴とする請求項１の食物繊維含有組成物。
　【請求項３】
　成分（１）がアルギン酸ナトリウムまたはアルギン酸カリウムであることを特徴とする請求項１の食物繊維含有組成物。
　【請求項４】
　（１）平均分子量１０万以下のアルギン酸、アルギン酸塩またはアルギン酸エステル、および、
　（２）ポリデキストロースおよび難消化性デキストリンからなる群から選択される１以上の食物繊維を含有し、
　成分（１）と成分（２）の重量比が０．５〜３０：１００であることを特徴とする飲料。
　【請求項５】
　（１）平均分子量１０万以下のアルギン酸、アルギン酸塩またはアルギン酸エステル、および、
　（２）ポリデキストロースおよび難消化性デキストリンからなる群から選択される１以上の食物繊維を含有し、
　成分（１）と成分（２）の重量比が０．５〜３０：１００であることを特徴とする便通改善薬。
　【請求項６】
　（１）平均分子量１０万以下のアルギン酸、アルギン酸塩またはアルギン酸エステル、および、
　（２）ポリデキストロースおよび難消化性デキストリンからなる群から選択される１以上の食物繊維が、キットを構成する複数の組成物のいずれかに含まれており、
　成分（１）と成分（２）の含有重量比が０．５〜３０：１００であることを特徴とする便通改善用キット。
【発明の詳細な説明】
　【０００１】
　【発明の属する技術分野】
　本発明は、アルギン酸、アルギン酸塩またはアルギン酸エステル（以下「アルギン酸類」という）とポリデキストロースなどの食物繊維を特定の重量比で含有する組成物、飲料および便通改善薬に関する。また、本発明は、アルギン類およびポリデキストロースなどの食物繊維が、キットを構成する複数の組成物のいずれかに含まれている便通改善用キットにも関する。
　【０００２】
　【従来の技術】
　食物繊維は、血圧低下作用、コレステロール低下作用および腸内細菌調整作用などを有することが知られており、近年大きな注目を集めている。食物繊維は、胆汁酸とコレステロールの分泌に影響を与え、大腸における発癌性物質の発生機構にも関与していると考えられている。また、適当な粒径、形、密度および保水力を有する食物繊維を摂取すると、消化管通過速度が変化し、便の量や様相に影響を与えることも知られている。このため、他の食物とともに食物繊維を摂取すれば、便通の改善を期待することができ、このことが市場における食物繊維製品の需要を急速に拡大する一因になっている。
　【０００３】
　今日では、食物繊維を含有する様々な飲料が提供されている。これらの飲料は便通を改善する作用を有するものとして提供されているが、その効果は必ずしも良好とはいえない。これは、飲料に含まれる食物繊維の便通改善作用が効果的に発揮されていなか、食物繊維の便通改善作用そのものが不十分であることに起因しているものと考えられる。
　【０００４】
　この問題に対処するために、飲料中の食物繊維濃度を高くして濃厚な食物繊維を体内に摂取する方策が考えられる。しかしながら、飲料中の食物繊維濃度を上げても、飲んだ食物繊維がすべて効率よく便通改善作用を示すとは限らない。それどころか却って下痢や軽い腹痛を引き起こすこともある。このため、濃度を上げた分に比例した良好な便通改善効果を得ることはできない。
　【０００５】
　一方、飲料に含まれる食物繊維の濃度を変化させる代わりに、飲料そのものの摂取量を増やすことによって便通を改善する方策も考えられる。しかしながら、単に摂取量を増やしても、やはり摂取量に比例した便通改善効果を得ることはできない。また、摂取絶対量が増えることによる不快感を伴うことも多い。このように、摂取する食物繊維量を多くすることによって、便通改善効果を増強することには限界があった。
　このため、摂取した食物繊維の便通改善作用をより効果的に発現させ、一段と優れた便通改善効果を発揮させることができる組成物を開発することが求められていた。
　【０００６】
　【発明が解決しようとする課題】
　これらの従来技術の問題点を考慮して、本発明は、より優れた便通改善作用を発揮することができる食物繊維含有組成物を提供することを目的とした。また、本発明は、優れた便通改善効果を有するとともに、摂取後の腹持ちが非常に良い組成物を提供することをも目的とした。
　【０００７】
　【課題を解決するための手段】
　上記の課題を解決するために鋭意検討を重ねた結果、本発明者らは、低分子のアルギン酸類を他の食物繊維と一定の重量比で組み合わせることによって、便通改善作用と腹持ち作用が飛躍的に増強することを見出して本発明を完成した。
　【０００８】
　すなわち、本発明は、
　（１）平均分子量１０万以下のアルギン酸、アルギン酸塩またはアルギン酸エステル、および、
　（２）ポリデキストロースおよび難消化性デキストリンからなる群から選択される１以上の食物繊維を含有し、
　成分（１）と成分（２）の重量比が０．５〜３０：１００であることを特徴とする食物繊維含有組成物を提供するものである。
　【０００９】
　本発明のように食物繊維の組み合わせと重量比を厳密に特定することによって、従来の食物繊維含有組成物にはみられない顕著な便通改善効果と腹持ち効果を達成することができる。すなわち、本発明にしたがって食物繊維を組み合わせれば、各々の有する便通改善効果と腹持ち効果を相乗的に高めることができる。これは、本発明の組成物における単位食物繊維量あたりの便通改善作用と腹持ち作用が、従来の食物繊維含有組成物よりも飛躍的に高まっていることを意味している。また、本発明の組成物は、下痢や不快感を伴うことがないため、安心して摂取することができる。
　【００１０】
　本発明の組成物に使用するアルギン酸類は、平均分子量１０万以下のものであれば、その種類、原料および製法は特に制限されない。したがって、本発明で使用するアルギン酸類は、天然物由来ものであってもよいし、合成によって得られたものであってもよい。
　【００１１】
　また、アルギン酸類を構成するβ−Ｄ−マンヌロン酸とα−Ｌ−グルロン酸の割合や配列順序は特に制限されない。したがって、β−Ｄ−マンヌロン酸のみからなるブロック、α−Ｌ−グルロン酸のみからなるブロック、両者が混合しているブロックのすべてを有するアルギン酸類を使用してもよいし、そのいずれか１種または２種からなるアルギン酸類を使用してもよい。
　【００１２】
　本発明で使用するアルギン酸類の平均分子量は１０万以下である。平均分子量が１０万を超えるアルギン酸類は、ポリデキストロースなどと組み合わせても所期の相乗効果を有効に発揮させることはできない。本発明で使用するアルギン酸類は、１％水溶液にした場合の粘度が１．５〜３０ｃｐ（２０℃）の範囲内にあるものが好ましぐ、１．５〜１０ｃｐの範囲内にあるものがより好ましい。また、１〜５ｃｐの範囲内にあるもの、さらには１〜３ｃｐの範囲内にあるものも有効に用いることができる。
　【００１３】
　本発明で使用する低分子のアルギン酸類は、例えば高分子のアルギン酸を取得した後、これを低分子化することによって容易に調製することができる。高分子のアルギン酸は、褐藻類の細胞間に豊富に含まれている。したがって、褐藻類を例えば希硫酸で洗浄した後、炭酸ナトリウム溶液で抽出して、硫酸で沈殿させる方法を用いることによって、高分子のアルギン酸を取得することができる。こうして得られた高分子のアルギン酸は、公知の方法のいずれかを用いることによって容易に低分子化することができる。例えば、高分子のアルギン酸に酵素を作用させる方法、次亜塩素酸ナトリウムや過酸化水素などを反応させる方法、熱分解する方法、加圧分解する方法などを用いて低分子アルギン酸を調製することができる。
　【００１４】
　低分子アルギン酸塩は、このようにして調製した低分子アルギン酸に塩基を作用させることによって得ることができる。本発明で使用するアルギン酸塩は、ナトリウム塩またはカリウム塩であるのが好ましいが、これら以外の塩であっても使用することができる。
　【００１５】
　低分子アルギン酸エステルは、低分子アルギン酸をエステル化することによって調製してもよいし、高分子アルギン酸をエステル化してから低分子化してもよい。本発明で使用するアルギン酸エステルとして、アルギン酸プロピレングリコールを例示することができる。
　【００１６】
　本発明では、アルギン酸、アルギン酸塩およびアルギン酸エステルのうち、いずれか１種のみを使用してもよいし、２種を組み合わせて使用してもよい。また、３種すべてを使用しても構わない。さらに、塩、エステルの種類や分子量が異なる複数のアルギン酸塩やアルギン酸エステルを組み合わせて使用してもよい。
　【００１７】
　本発明の組成物に使用する第２の成分であるポリデキストロースおよび難消化性デキストリンは、食用として供することができるものであればその種類、原料および製法は特に制限されない。したがって、植物由来の食物繊維であっても、合成によって製造した食物繊維であっても構わない。
　【００１８】
　ポリデキストロースは、少量のツルビトールを含むグルコース重合体であり、水溶性食物繊維である。例えば、ブドウ糖を主原料としてツルビトールおよびクエン酸を適当な割合で混合し、高温真空下で重合させることなどによって製造することができる。商業的に入手しうるポリデキストロースとして、ライテス（カルターフードサイエンス製）を例示することができる。
　【００１９】
　難消化性デキストリンは、デンプンやデンプンの部分分解物中に含まれていて、アミラーゼによる分解を受けにくい成分である。レジスタントスターチと呼ばれるものも含まれる。難消化性デキストリンは、例えば、デンプンに微量の塩酸を添加して加熱分解し、得られたデキストリンを水に溶解してアミラーゼで加水分解した後、精製することによって得ることができる。商業的に入手しうる難消化性デキストリンとしてパインファイバー、パインファイバーＣ（松谷化学工業製）を例示することができる。
　【００２０】
　ポリデキストロースおよび難消化性デキストリンは、いずれか１種のみを用いてもよいし、複数種を組み合わせて使用してもよい。また、いずれか１種のみを使用する場合であっても、分子量や粘度などが異なるものを組み合わせて使用することもできる。
　【００２１】
　本発明の組成物中における低分子アルギン酸類とポリデキストロースなどのその他の食物繊維の重量比は、０．５〜３０：１００の範囲内に設定する。低分子アルギン酸類の含有量が０．５よりも少ないか、３０よりも多い場合には、ポリデキストロースなどの他の食物繊維と組み合わせた場合の相乗的な便通改善効果が期待できない。より優れた効果を発揮させるためには、重量比は５〜３０：１００であるものがより好ましく、１０〜３０：１００であるものがさらに好ましい。
　【００２２】
　低分子アルギン酸類とポリデキストロースなどのその他の食物繊維をあわせた食物繊維の総含有量は、組成物を飲料として使用する場合には、２〜４０重量％の範囲内に設定するのが好ましく、３〜３０重量％の範囲内に設定するのがより好ましい。さらに、４〜２０重量％の範囲内に設定するのがより好ましく、５〜１０重量％の範囲内に設定するのが最も好ましい。
　また、組成物を便通改善薬として使用する場合には、たとえば錠剤にする場合は食物繊維の総含有量は１０〜１００重量％の範囲内に設定するのが好ましく、３０〜７０重量％の範囲内に設定するのがより好ましい。
　【００２３】
　本発明の組成物は、具体的には飲料や便通改善薬として用いることができる。飲料として用いる場合には、水や果汁などの液体成分を比較的多量に用いて流動性を持たせる必要がある。このとき、さらさらとした液状にすることは必ずしも必要でなく、粘性の高い流動体にしてもよい。粘性の高い流動体にするために、ゲル化剤を使用することも可能である。本発明の組成物は、腹持ちが良くて満腹感を与える作用があることから、ダイエット飲料として有用である。また、現代人は食物繊維の摂取量が不足する傾向にあることから、食物繊維不足を補うための調整飲料としても有用である。
　【００２４】
　本発明の組成物を便通改善薬として使用する場合には、適当な賦形剤を使用して所望の形態にすることができる。便通改善薬は経口投与するのが一般的であることから、錠剤、カプセル剤、散剤、細粒剤、顆粒剤、液剤、シロップ剤などにすることができる。また、便通改善薬には、薬理学的および製剤学的に許容しうる添加物を使用することもできる。例えば、上記賦形剤の他に、崩壊剤または崩壊補助剤、結合剤、滑沢剤、コーティング剤、色素、希釈剤、基剤、溶解剤または溶解補助剤、等張化剤、ｐＨ調節剤、安定化剤などを使用することができる。
　【００２５】
　本発明には、アルギン酸類とポリデキストロースなどのその他の食物繊維を一緒に含む一組成物（便通改善薬）のみならず、複数の組成物から構成される便通改善用キットも含まれる。このキットにおいて、アルギン酸類とその他の食物繊維は、キットを構成する複数の組成物のいずれかに含まれていればよい。例えば、アルギン酸類を含む第１組成物とその他の食物繊維を含む第２組成物からなるキットであってもよいし、アルギン酸類とその他の食物繊維の存在比が異なる複数の組成物からなるキットであってもよい。使用する際には、これらの組成物を適宜組み合わせて投与する。複数の組成物は同時に投与してもよいし、一定の間隔をおいて投与してもよい。
　便通改善薬の投与量は、食物繊維の量にして５〜４０ｇ／日の範囲内にするのが好ましい。
　【００２６】
　本発明の組成物には、食物繊維の他に種々の成分を適宜添加することができる。例えば、甘味料、果汁、香料、ゲル化剤、酸味料、栄養強化剤、苦味料、光沢剤、殺菌剤、酸化防止剤、色調調整剤、安定剤、着色料、調味料、保存料、賦形剤などを添加することができる。また、アルギン酸類、ポリデキストロース、難消化性デキストリン以外の食物繊維を添加してもよい。
　代表的な添加剤の具体例として、以下に記載するものを例示することができる。
　【００２７】
　本発明の組成物に添加することができる甘味料として、砂糖、果糖、ぶどう糖、キシロース、乳糖、水あめ、異性化糖、グリチルリチン、アスパルテーム、ステビア、ソルビット、マツリトール、グリシン、タウマチン（ソーマチン）、サッカリン、ラカンカ、ラムノース、カンゾウを例示することができる。
　【００２８】
　本発明の組成物に添加することができる香料として、シトラス系香料、スパイス系香料、ミルク系香料、フルーツ系香料などを幅広く例示することができる。
　本発明の組成物に添加することができる酸味料として、アジピン酸、クエン酸、クエン酸一カリウム、クエン酸三カリウム、クエン酸三ナトリウム、グルコノデルタラクトン、グルコン酸、氷酢酸、酢酸ナトリウム、酒石酸、酒石酸ナトリウム、乳酸、フマル酸、リンゴ酸、リン酸、炭酸ガスを例示することができる。
　【００２９】
　本発明の組成物に添加することができる着色料として、食用赤色２号、４０号、１０６号、食用黄色４号、５号、食用青色１号などのタール系色素や、ベニバナ色素、コチニール色素、ブドウ果皮色素などを例示することができる。
　本発明の組成物に添加することができる保存料として、安息香酸、安息香酸ナトリウム、ソルビン酸、ソルビン酸カリウム、デヒドロ酢酸ナトリウム、パラオキシ安息香酸エステルなどを例示することができる。
　これらの添加剤の使用量は、飲料や便通改善薬などの使用目的に応じて適宜決定することができる。
　【００３０】
　【実施例】
　以下に実施例を挙げて本発明をさらに具体的に説明する。以下の実施例に示す成分、割合、操作順序等は、本発明の精神から逸脱しない限り適宜変更することができる。したがって、本発明の範囲は以下の実施例に示す具体例に制限されるものではない。
　【００３１】
（実施例１）
　以下の表に記載される成分を表に記載される量で混合し、滅菌することによって本発明の組成物を製造した。
　【００３２】
　【表１】
　　
成分
重量％
アルギン酸　　　　　　　　　　　２．０
ポリデキストロース　　　　　　　８．０
果糖ブドウ糖液糖　　　　　　　１０．０
クエン酸　　　　　　　　　　　　０．２
クエン酸ナトリウム　　　　　　　０．１
リンゴ果汁　　　　　　　　　　　３．０
リンゴフレーバー　　　　　　　　０．２
水　　　　　　　　　　　　　　７６．５
　【００３３】
（実施例２）
　以下の表に記載される成分を表に記載される量で混合し、滅菌することによって本発明の組成物を製造した。
　【００３４】
　【表２】
　　
成分
重量％
アルギン酸ナトリウム　　　　　　０．５
難消化性デキストリン　　　　　　４．５
果糖ブドウ糖液糖　　　　　　　　５．０
クエン酸　　　　　　　　　　　　０．２
レモン果汁　　　　　　　　　　　８．０
レモンフレーバー　　　　　　　　０．２
水　　　　　　　　　　　　　　８１．６
　【００３５】
（実施例３）
　以下の表に記載される成分を表に記載される量で混合し、打錠することによって本発明の錠剤を製造した。
　【００３６】
　【表３】
　　
成分
重量％
アルギン酸　　　　　　　　　１５．０
難消化性デキストリン　　　　３５．０
乳糖　　　　　　　　　　　　３６．８
ヨーグルトパウダー　　　　　１０．０
グリセリン脂肪酸エステル　　　３．０
ミルクフレーバー　　　　　　　０．２
　【００３７】
（比較例）
　以下の表に記載される成分を表に記載される量で混合し、さらに滅菌することによって比較用の組成物を製造した。
　【００３８】
　【表４】
　　
成分
重量％
ポリデキストロース　　　　　　　１０．０
果糖ブドウ糖液糖　　　　　　　　１０．０
クエン酸　　　　　　　　　　　　　０．２
クエン酸ナトリウム　　　　　　　　０．１
リンゴ果汁　　　　　　　　　　　　３．０
リンゴフレーバー　　　　　　　　　０．２
水　　　　　　　　　　　　　　　７６．５
　【００３９】
（試験例）
　実施例１で調製した本発明の組成物と比較例で調製した比較用の組成物を用いて、便通効果の比較検討を行った。
　成人男女計１０人が試料を毎朝２００ｍｌずつ一週間摂取したときの排便回数、排便量および便通状況を調査し、１０人の平均排便回数と平均排便量を算出した。
　【００４０】
　その結果、実施例１の組成物と比較例の組成物には、いずれもプラセボ群に対して平均排便回数の改善効果が認められ、便通状況も改善されていることが確認された。また、実施例１と比較例の間で平均排便回数と便通状況の改善効果に有意差は認められなかった。ただし、比較例の組成物を摂取した群の中で３割の者が消化器系の軽微な異常を訴えたが、実施例１の組成物を摂取した群の中にはそれに対応する異常を訴えた者はなく、逆に腹持ちの良さを指摘した者が目立った。また、平均排便量については、比較例を基準にしたときの実施例１の平均排便量が５０％以上多かった。このことは、アルギン酸類をポリデキストロースに重量比２０：８０（２５：１００に相当）で混合して摂取することによって、排便量が顕著に増加することを示している。
　【００４１】
　アルギン酸類とポリデキストロースを組み合わせることによる排便量の増加は、アルギン酸類とポリデキストロースを重量比で０．５〜３０：１００の範囲内で含有する組成物を摂取した場合に同様に認められ、この重量比の範囲外では有意差は認められなかった。これは、ポリデキストロースの代わりに難消化性デキストリンを用いた場合も同じであった。また、ポリデキストロースの代わりに大豆繊維を用いた場合にも、同様に重量比０．５〜３０：１００の範囲内で排便量の有意な増加が認められたが、その増加の程度はポリデキストロースの場合よりも小さかった。さらに、セルロースを用いた場合にも同様の傾向が認められたが、排便量の増加の程度は大豆繊維の場合よりもさらに小さかった。
　【００４２】
　アルギン酸類とその他の食物繊維を組み合わせて摂取した場合、および、アルギン酸類以外の食物繊維を組み合わせて摂取した場合については、組み合わせによる排便量の有意な増加は認められなかった。
　【００４３】
　【発明の効果】
　（１）平均分子量１０万以下のアルギン酸、アルギン酸塩またはアルギン酸エステルと、（２）ポリデキストロースおよび難消化性デキストリンからなる群から選択される１以上の食物繊維を、成分（１）と成分（２）の重量比を０．５〜３０：１００で組み合わせて摂取することによって、排便量を顕著に増加させ、腹持ちを良くすることができる。このため、本発明の組成物はダイエット飲料などの機能性食品、便通改善薬として極めて有用である。